(57)【要約】【課題】買い物袋を持つ時、または鞄を持つ時に身体の痛みを和らげるための買い物袋及び鞄の持ち手の補助具を提供する。【解決手段】中央部に基部と両側に左右の翼部を三つ折可能に形成し、当該翼部の片方に買い物袋を収納できるように形成された収納部を設け、買い物袋の手提げ部を保持する為のホルダーを有したことを特徴とし、また基部片面に面ファスナーを介してホルダーを着脱自在にしたことを特徴とする買い物袋及び鞄の持ち手の補助具。【選択図】図４
2007037947.tif 000002
【特許請求の範囲】
【請求項１】
中央部に基部と両側に左右の翼部を三つ折可能に形成し、当該翼部の片方に扁平状に折り畳められたレジ袋を収納できるように形成された収納部を設け、前記基部片面に買い物袋の手提げ部を保持するためのホルダーを有したことを特徴とする買い物袋及び鞄の持ち手の補助具。
【請求項２】
基部片面に面ファスナーを介してホルダーを着脱自在にしたことを特徴とする請求項１記載の買い物袋及び鞄の持ち手の補助具。
【発明の詳細な説明】
【技術分野】
【０００１】  本発明は、買い物袋を持つ時、または鞄を持つ時に身体の痛みを和らげるための買い物袋及び鞄の持ち手の補助具に関するものである。
【背景技術】
【０００２】従来のモノは買い物袋の運搬補助具という単一使用のものであり、多機能かつ実用的なものがすくなかった。
なお、スーパーの提げ袋の左右の持ち手にグリップを差し込みスーパーバックを運搬するときに生じる重さによる苦痛を軽減する発明が知られている。（特許文献１）
【特許文献１】特許第３０７７０８５号公報
【発明の開示】
【発明が解決しようとする課題】
【０００３】  そのために、次のような問題点があった。
（イ）買い物袋の収納スペースがない為、買い物袋を携帯できず買い物袋の軽減に繋がらなかった。
（ロ）買い物袋にしか用途がなく、多様性がなかった。
（ハ）補助具自体大きさを伴うものであり、携帯しづらかった。
（ニ）デザイン性にすぐれておらず多数の人の嗜好を満たしていなかった。
（ホ）買い物袋がずれてしまい持ちにくかった、あまり手の痛みの軽減にはなっていなかった。
本発明は以上の問題点を解決しようとするものである。
【課題を解決するための手段】
【０００４】請求項１においては、中央部に基部と両側に左右の翼部を三つ折可能に形成し、当該翼部の片方に扁平状に折り畳められたレジ物袋を収納できるように形成された収納部を設け、前記基部片面に買い物袋の手提げ部を保持するためのホルダーを有したことを特徴とする買い物袋及び鞄の持ち手の補助具である。【０００５】請求項２においては、基部片面に面ファスナーを介してホルダーを着脱自在にしたことを特徴とする請求項１記載の買い物袋及び鞄の持ち手の補助具である。
【発明の効果】
【０００６】今回は下記の点で改良されている。
「容リ法」の観点から、買い物袋の収納部をとりつけ、買い物袋の再利用を可能にしている。【０００７】買い物袋の補助具としてだけでなく、中央のホルダーをはずせば、ショルダーバックの肩当て、ハンドバックの腕当て用としても使用でき多機能に利用出来る。【０００８】携帯しやすいサイズに作られており、軽量かつ丈夫な構造になっている。素材はナイロン生地、ポリエチレン、ゴム製ホルダーと多種の素材を使用することによって、手に対する痛みを従来のものよりかなり軽減している。またホルダーにより十分に買い物袋が固定され持ちやすくなっている。【０００９】使うナイロン生地によってはデザインが多様化し多くの人の嗜好を考慮できる、実用性の高いものに仕上がっている。
【発明を実施するための最良の形態】
【００１０】以下、本発明の実施の形態を説明する。
（ア）横長の長方形状のナイロン製生地の両短辺に縫いしろ（３ａ、３ｂ）を形成し、残りの長辺を７分割し、生地片（１ａ、１ｂ、１ｃ、１ｄ、１ｅ、１ｆ、１ｇ）のそれぞれ両短辺に縫いしろ（３ｃ、３ｊ）（３ｄ、３ｋ）（３ｅ、３ｌ）（３ｆ、３ｍ）（３ｇ、３ｎ）（３ｈ、３ｏ）（３ｉ、３ｐ）を形成する。
（イ）縫いしろ（３ｈ）と縫いしろ（３ｉ）の間の折り目（２ｆ）に切れ込み（１２ａ）を入れる。また縫いしろ（３ｏ）と縫いしろ（３ｐ）の間の折り目（２ｆ）に切れ込み（１２ｂ）を入れる。
（ウ）生地片（１ａ、１ｂ、１ｃ）の上にポリエチレン製下地材（４）を置く。
（エ）縫いしろ（３ｃ、３ｄ、３ｅ、３ｆ、３ｇ、３ｈ）と縫いしろ（３ｊ、３ｋ、３ｌ、３ｍ、３ｎ、３ｏ）を内側に折り畳み、生地片（１ａ、１ｂ、１ｃ）を折り目（２ｃ）で上方に折り畳み、縫いしろ同士を縫合する。また生地片（１ａ）の端部に設けられた縫いしろ（３ａ）も内側に折り畳み、折り目（２ｆ）と縫合する。
（オ）折り目（２ａ）と折り目（２ｅ）、及び折り目（２ｂ）と折り目（２ｄ）を縫い合わせ基部（６）と翼部（８、９）を形成する。
（カ）生地片（１ｇ）を折り目（２ｆ）で下方に折り畳み生地片（１ｆ）に重ね合わせ、生地片（１ｇ）の端部に設けられた縫いしろ（３ｂ）を内側に折り畳み、折り目（２ｅ）と縫合し、縫いしろ（３ｉ、３ｐ）も内側に折り畳み生地片（１ｆ）と縫合し、翼部（８）を構成する。
（キ）基部（６）片面に雌面ファスナー（１０ａ）を取り付ける。
（ク）半円状に形成されたゴム製の筒の曲面部（１４）軸方向に切れ込み（１５）を形成したホルダー（７）の平面部（１３）に雄面ファスナー（１０ｂ）を設け、それを雌面ファスナー（１０ａ）に貼着する。
（ケ）基部（６）の裏にすべり止め（１１）を取り付ける。
（コ）翼部（８）片面に雄面ファスナー（１６ｃ、１６ｄ）を取り付ける。
（サ）翼部（９）の裏に雌面ファスナー（１６ａ、１６ｂ）を取り付ける。
本発明は以上の構成でなっている。
本発明を使用する時は、買い物袋の提げ手をホルダー（７）に引っ掛け固定し、翼部（９）と翼部（８）を折り畳み雌面ファスナー（１６ａ）と雄面ファスナー（１６ｄ）、及び雌面ファスナー（１６ｂ）と雄面ファスナー（１６ｃ）を貼着し、図６の様に使用する。又買い物に行く際に収納部（５）に前もって持参のレジ袋を扁平状に折り畳み入れておく事も出来る。
この結果買い物袋を持つ時、手にかかる負荷を軽減しレジ袋の再利用を可能にする。
またホルダー（７）を取り外し基部（６）にショルダーバックやハンドバック等の提げ手を引っ掛け、翼部（８）と翼部（９）を折り畳めば前記鞄等の肩当て、腕当としても使用出来る。
三つ折にすると幅は約４ｃｍ長さは約１０ｃｍと持ちやすいサイズになっている。【００１１】ポリエチレンのサイズは自由に調整して、強度を変えることが出来る。【００１２】素材はナイロン生地だけでなく用途に応じて自由に変えることが出来る。【００１３】指が実際に当たる箇所は滑り止め、タオルだけでなく、用途に応じて自由に素材を変えることが出来る。【００１４】ゴム製ホルダーはゴムだけでなく用途に応じて自由に素材を変えることが出来る。
またホルダーは取りはずしが出来るものと、出来ないものがある。【００１５】デザインは四角形だけでなく自由に作成し、様々なものを作る事ができる。
【図面の簡単な説明】
【００１６】
【図１】本発明の基部、翼部の展開図
【図２】本発明の解体図
【図３】ホルダーの斜視図
【図４】本発明の斜視図
【図５】本発明の後方図
【図６】本発明の使用状態を示す斜視図
【符号の説明】
【００１７】１ａ，１ｂ，１ｃ，１ｄ，１ｅ，１ｆ，１ｇ                                生地片
２ａ，２ｂ，２ｃ，２ｄ，２ｅ，２ｆ                                      折り目
３ａ，３ｂ，３ｃ，３ｄ，３ｅ，３ｆ，３ｇ，３ｈ，３ｉ，３ｊ，３ｋ，３ｌ，３ｍ，３ｎ，３ｏ，３ｐ    縫いしろ
４          下地材
５          収納部
６          基部
７          ホルダー
８          翼部
９          翼部
１０ａ      雌面ファスナー
１０ｂ      雄面ファスナー
１１        すべり止め
１２ａ，ｂ  切れ込み
１３        平面部
１４        曲面部
１５        切れ込み
１６ａ，ｂ  雌面ファスナー
１６ｃ，ｄ  雄面ファスナー
【図１】
2007037947.tif 000003
【図２】
2007037947.tif 000004
【図３】
2007037947.tif 000005
【図４】
2007037947.tif 000006
【図５】
2007037947.tif 000007
【図６】
2007037947.tif 000008